【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
サーバと、前記サーバとネットワークを介して接続された情報処理装置とを含むシステムであって、
前記サーバは、
前記情報処理装置に対して、構造化言語で記述されたデータを、該データで指定される各コンテンツの属性に基づく優先度を決定するための情報とともに、提供する提供手段を有し、
前記情報処理装置は、
前記サーバから提供された前記データで指定される各コンテンツを、前記サーバから提供された前記優先度を決定するための情報に従う優先度の異なる複数のストリームを用いて取得する取得手段と、
前記取得されたコンテンツのうち、一部のコンテンツを用いた表示の制御を行う表示手段と、
前記取得されたコンテンツのうち、他のコンテンツをキャッシュする管理手段とを有することを特徴とする情報処理システム。
【請求項２】
前記コンテンツの属性は、少なくとも、前記コンテンツのサイズ、種別、及び内容の何れかであることを特徴とする請求項１に記載の情報処理システム。
【請求項３】
前記サーバが備える前記提供手段は、優先度を決定するための情報として、各コンテンツの優先順位を提供し、前記データで指定されるコンテンツのうち、サイズが閾値以上であるコンテンツに対しては第１の優先順位が設定され、サイズが閾値未満であるコンテンツに対しては前記第１の優先順位より高い第２の優先順位が設定されることを特徴とする請求項２に記載の情報処理システム。
【請求項４】
前記サーバが備える前記提供手段は、前記データで指定されるコンテンツの属性及び前記情報処理装置の環境情報に基づく優先度を決定するための情報を提供することを特徴とする請求項１乃至３の何れか１項に記載の情報処理システム。
【請求項５】
前記情報処理装置の環境情報は、少なくとも、前記情報処理装置と前記サーバとの間のアップロード／ダウンロード帯域幅、ラウンドトリップタイムの何れかを含むことを特徴とする請求項４に記載の情報処理システム。
【請求項６】
前記サーバでは、前記情報処理装置と前記サーバとの間のラウンドトリップタイムに基づいて、前記情報処理装置と前記サーバとの間の通信環境が高速通信環境であるか低速通信環境であるかが判断され、
前記サーバが備える前記提供手段により提供される前記データで指定される各コンテンツに対応する優先度を決定するための情報は、前記通信環境が低速通信環境である場合と高速通信環境である場合とで、それぞれ異なることを特徴とする請求項５に記載の情報処理システム。
【請求項７】
前記情報処理装置が備える前記取得手段が同時に用いることができる前記ストリームの数は、前記情報処理装置の環境情報により制限されることを特徴とする請求項１乃至６のいずれか１項に記載の情報処理システム。
【請求項８】
サーバと、前記サーバとネットワークを介して接続された情報処理装置とを含むシステムにおける制御方法であって、
前記サーバが、前記情報処理装置に対して、構造化言語で記述されたデータを、該データで指定される各コンテンツの属性に基づく優先度を決定するための情報とともに、提供する工程と、
前記情報処理装置が、前記サーバから提供された前記データで指定される各コンテンツを、前記データで指定された前記優先度を決定するための情報に従う優先度の異なる複数のストリームを用いて取得する工程と、
前記情報処理装置が、前記取得されたコンテンツのうち、一部のコンテンツを用いた表示の制御を行う工程と、
前記情報処理装置が、前記取得されたコンテンツのうち、他のコンテンツをキャッシュする工程とを有することを特徴とする制御方法。
【請求項９】
ネットワークを介して接続された情報処理装置に対して、構造化言語で記述されたデータを、該データで指定される各コンテンツの属性に基づく優先度を決定するための情報とともに、提供する提供手段と、
前記優先度を決定するための情報に従う優先度の異なる複数のストリームを用いた前記情報処理装置からのコンテンツの取得要求に応じて、当該複数のストリームを介して前記情報処理装置に対して各コンテンツを配信する配信手段と、を備える
ことを特徴とするサーバ。
【請求項１０】
前記コンテンツの属性は、少なくとも、前記コンテンツのサイズ、種別、及び内容の何れかであることを特徴とする請求項９に記載のサーバ。
【請求項１１】
前記提供手段は、優先度を決定するための情報として、各コンテンツの優先順位を提供し、前記データで指定されるコンテンツのうち、サイズが閾値以上であるコンテンツに対しては第１の優先順位が設定され、サイズが閾値未満であるコンテンツに対しては前記第１の優先順位より高い第２の優先順位が設定されることを特徴とする請求項９に記載のサーバ。
【請求項１２】
前記提供手段は、前記データで指定されるコンテンツの属性及び前記情報処理装置の環境情報に基づく優先度を決定するための情報を提供することを特徴とする請求項９乃至１１の何れか１項に記載のサーバ。
【請求項１３】
前記情報処理装置が同時に用いることができる前記ストリームの数は、前記情報処理装置の環境情報により制限されることを特徴とする請求項９乃至１２のいずれか１項に記載のサーバ。
【請求項１４】
前記情報処理装置の環境情報は、少なくとも、前記情報処理装置と前記サーバとの間のアップロード／ダウンロード帯域幅、ラウンドトリップタイムの何れかを含むことを特徴とする請求項１２または１３に記載のサーバ。
【請求項１５】
サーバの制御方法であって、
ネットワークを介して接続された情報処理装置に対して、構造化言語で記述されたデータを、該データで指定される各コンテンツの属性に基づく優先度を決定するための情報とともに、提供する工程と、
前記優先度を決定するための情報に従う優先度の異なる複数のストリームを用いた前記情報処理装置からのコンテンツの取得要求に応じて、当該複数のストリームを介して前記情報処理装置に対して各コンテンツを配信する工程とを有する
ことを特徴とする制御方法。
【請求項１６】
請求項９乃至１４の何れか１項に記載のサーバの各手段としてコンピュータを機能させることを特徴とするコンピュータプログラム。
【請求項１７】
ネットワークを介して接続されたサーバから、構造化言語で記述されたデータを、該データで指定される各コンテンツの属性に基づく優先度を決定するための情報とともに受け付ける受信手段と、
前記データで指定される各コンテンツを、前記サーバから提供された前記優先度を決定するための情報に従う優先度の異なる複数のストリームを用いて取得する取得手段と、
前記取得されたコンテンツのうち、一部のコンテンツを用いた表示の制御を行う表示手段と、
前記取得されたコンテンツのうち、他のコンテンツをキャッシュする管理手段と、を有することを特徴とする情報処理装置。
【請求項１８】
前記コンテンツの属性は、少なくとも、前記コンテンツのサイズ、種別、及び内容の何れかであることを特徴とする請求項１７に記載の情報処理装置。
【請求項１９】
前記サーバから、優先度を決定するための情報として、各コンテンツの優先順位が提供され、前記データで指定されるコンテンツのうち、サイズが閾値以上であるコンテンツに対しては第１の優先順位が設定され、サイズが閾値未満であるコンテンツに対しては前記第１の優先順位より高い第２の優先順位が設定されることを特徴とする請求項１８に記載の情報処理装置。
【請求項２０】
前記優先度を決定するための情報は、前記データで指定されるコンテンツの属性及び前記情報処理装置の環境情報とに基づいて、設定されることを特徴とする請求項１７乃至１９の何れか１項に記載の情報処理装置。
【請求項２１】
前記取得手段が同時に用いることができる前記ストリームの数は、前記情報処理装置の環境情報により制限されることを特徴とする請求項１７乃至２０の何れか１項に記載の情報処理装置。
【請求項２２】
前記情報処理装置の環境情報は、少なくとも、前記情報処理装置と前記サーバとの間のアップロード／ダウンロード帯域幅、ラウンドトリップタイムの何れかを含むことを特徴とする請求項２０または２１に記載の情報処理装置。
【請求項２３】
前記情報処理装置が、ネットワークを介して接続されたサーバから、構造化言語で記述されたデータを、該データで指定される各コンテンツの属性に基づく優先度を決定するための情報とともに受け付ける工程と、
前記情報処理装置が、前記データで指定される各コンテンツを、前記サーバから提供された前記優先度を決定するための情報に従う優先度の異なる複数のストリームを用いて取得する工程と、
前記情報処理装置が、前記取得されたコンテンツのうち、一部のコンテンツを用いた表示の制御を行う工程と、
前記情報処理装置が、前記取得されたコンテンツのうち、他のコンテンツをキャッシュする工程とを有することを特徴とする制御方法。
【請求項２４】
請求項１７乃至２２の何れか１項に記載の情報処理装置の各手段としてコンピュータを機能させることを特徴とするコンピュータプログラム。
【手続補正２】
【補正対象書類名】明細書
【補正対象項目名】００１１
【補正方法】変更
【補正の内容】
【００１１】
本発明の一実施形態の情報処理システムは、サーバと、前記サーバとネットワークを介して接続された情報処理装置とを含むシステムである。前記サーバは、前記情報処理装置に対して、構造化言語で記述されたデータを、該データで指定される各コンテンツの属性に基づく優先度を決定するための情報とともに、提供する提供手段を有する。前記情報処理装置は、前記サーバから提供された前記データで指定される各コンテンツを、前記サーバから提供された前記優先度を決定するための情報に従う優先度の異なる複数のストリームを用いて取得する取得手段と、前記取得されたコンテンツのうち、一部のコンテンツを用いた表示の制御を行う表示手段と、前記取得されたコンテンツのうち、他のコンテンツをキャッシュする管理手段とを有する。